(57)【要約】【課題】商品への操作に即して多様性に富んだ映像コンテンツを出力させる。【解決手段】商品に対する操作を検出し、検出した結果を送信する商品PD-A，PD-B，PD-Cと、映像コンテンツを出力するサイネージボード10Ａ、商品の複数の操作に対応した映像コンテンツを記憶したコンテンツ記憶部(11)、検出装置の送信手段からの検出結果を受信する通信部10Ｂ、及び受信した検出結果に基づいて記憶部(11)から対応する映像コンテンツを読出し、サイネージボード10Ａで出力させるＣＰＵ(17)を備えたデジタルサイネージ10とを含む。【選択図】図１
2015118312.tif 000002
【特許請求の範囲】
【請求項１】
商品に対する操作を検出する検出手段、
上記検出手段での検出結果を送信する送信手段
を備えた検出装置と、
映像コンテンツを出力するコンテンツ出力手段、
上記検出装置の送信手段からの検出結果を受信する受信手段、
上記受信手段で受信した検出結果に基づいて映像コンテンツを上記コンテンツ出力手段で出力させるコンテンツ出力制御手段
を備えたコンテンツ出力装置と
を具備したことを特徴とするコンテンツ出力システム。
【請求項２】
上記コンテンツ出力装置は、
上記商品での複数の操作に対応した映像コンテンツを記憶した記憶手段をさらに備え、
上記コンテンツ出力制御手段は、上記受信手段で受信した検出結果に基づいて上記記憶手段から対応する映像コンテンツを読出し、上記コンテンツ出力手段で出力させる
ことを特徴とする請求項１記載のコンテンツ出力システム。
【請求項３】
上記検出装置の送信手段は、複数の商品に対してそれぞれ設けられ、商品の機種の情報と合わせて検出手段での検出結果を送信し、
上記コンテンツ出力装置の記憶手段は、複数の上記商品での複数の操作に対応した映像コンテンツを記憶し、
上記コンテンツ出力制御手段は、上記受信手段で受信した検出結果に基づいて上記記憶手段から商品と操作に対応する映像コンテンツを読出し、上記コンテンツ出力手段で出力させる
ことを特徴とする請求項２記載のコンテンツ出力システム。
【請求項４】
上記記憶手段は、上記商品で推奨するものとして設定された機能の操作に対応して、上記機能を説明する映像コンテンツ、及び上記機能に関する他機種の商品と比較する映像コンテンツの少なくとも一方を記憶することを特徴とする請求項２または３記載のコンテンツ出力システム。
【請求項５】
装置外部から商品の操作に関する検出情報を受信する受信手段と、
映像コンテンツを出力するコンテンツ出力手段と、
上記受信手段で受信した検出情報に基づいて映像コンテンツを上記コンテンツ出力手段で出力させるコンテンツ出力制御手段と
を備えたことを特徴とするコンテンツ出力装置。
【請求項６】
映像コンテンツを出力するコンテンツ出力部を備えた装置でのコンテンツ出力方法であって、
装置外部から商品の操作に関する検出情報を受信する受信工程と、
上記受信工程で受信した検出情報に基づいて映像コンテンツを上記コンテンツ出力部で出力させるコンテンツ出力制御工程と
を有したことを特徴とするコンテンツ出力方法。
【請求項７】
映像コンテンツを出力するコンテンツ出力部を備えた装置が内蔵するコンピュータが実行するプログラムであって、
上記コンピュータを、
装置外部から商品の操作に関する検出情報を受信する受信手段、及び
上記受信手段で受信した検出情報に基づいて映像コンテンツを上記コンテンツ出力部で出力させるコンテンツ出力制御手段
として機能させることを特徴とするプログラム。
【発明の詳細な説明】
【技術分野】
【０００１】
本発明は、例えば商品を展示する店頭等に好適なコンテンツ出力システム、コンテンツ出力装置、コンテンツ出力方法及びプログラムに関する。
【背景技術】
【０００２】
展示された商品などの閲覧者に対して印象を高めるべく、人感センサによって人の接近を検出すると、映像コンテンツをそのコンテンツ自体の輪郭形状に形成されたスクリーン上に投影する映像出力装置の技術が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術では、スクリーン自体が映像コンテンツの輪郭形状に形成されているため、投影することのできる映像コンテンツが限定されるという不具合がある。
【０００５】
また上記特許文献では、閲覧者の接近を検出して映像コンテンツを出力するのみであり、実際に閲覧者が商品を手にとる場合のように、特定の商品に興味を示していると思われる状況でも、その状況に即した映像コンテンツを出力することができない。
【０００６】
本発明は上記のような実情に鑑みてなされたもので、その目的とするところは、商品への操作に即して多様性に富んだ映像コンテンツを出力させることが可能なコンテンツ出力システム、コンテンツ出力装置、コンテンツ出力方法及びプログラムを提供することにある。
【課題を解決するための手段】
【０００７】
本発明の一態様は、商品に対する操作を検出する検出手段、上記検出手段での検出結果を送信する送信手段を備えた検出装置と、映像コンテンツを出力するコンテンツ出力手段、上記検出装置の送信手段からの検出結果を受信する受信手段、上記受信手段で受信した検出結果に基づいて映像コンテンツを上記コンテンツ出力手段で出力させるコンテンツ出力制御手段を備えたコンテンツ出力装置とを具備したことを特徴とする。
【発明の効果】
【０００８】
本発明によれば、商品への操作に即して多様性に富んだ映像コンテンツを出力させることが可能となる。
【図面の簡単な説明】
【０００９】
【図１】本発明の一実施形態に係るシステム全体の外観構成を示す図。
【図２】同実施形態に係るデジタルサイネージの電子回路の機能構成を説明するブロック図。
【図３】同実施形態に係るデジタルカメラに共通した基本的な電子回路の概念構成を示すブロック図。
【図４】同実施形態に係るデジタルカメラのＣＰＵが実行する処理内容を示すフローチャート。
【図５】同実施形態に係るデジタルサイネージのＣＰＵが実行する処理内容を示すフローチャート。
【発明を実施するための形態】
【００１０】
以下、本発明を商店店頭に設置されるコンテンツ出力システムに適用した場合の一実施形態について、図面を参照して詳細に説明する。  
図１は、本実施形態に係るシステム全体の外観構成を示す図である。展示商品としての商品ＰＤ−Ａ，ＰＤ−Ｂ，ＰＤ−Ｃの近傍に、コンテンツ出力装置としてのデジタルサイネージ１０が設置される。ここでは、電機店のカメラ売り場において、商品ＰＤ−Ａがコンパクトタイプのデジタルカメラ、商品ＰＤ−Ｂが一眼レフタイプのデジタルカメラ、商品ＰＤ−Ｃがビデオムービーカメラである場合を例にとって示している。
【００１１】
これら各商品ＰＤ−Ａ，ＰＤ−Ｂ，ＰＤ−Ｃはいずれも、商品展示時に検出装置としても機能し、各装置が顧客等に取扱われて何らかの機能操作がなされた場合に、その商品の機種コードと操作コードとから操作コマンド情報を作成し、例えば近距離無線通信技術であるＢｌｕｅｔｏｏｔｈ（登録商標）規格に則って発信する。
【００１２】
一方、上記デジタルサイネージ１０は、筐体の上部前面側に半透明板状のサイネージボード１０Ａが立設され、例えばリアプロジェクション方式の投影機構により、操作された商品（例えば商品ＰＤ−Ａ）に関する映像コンテンツなどを投影して表示する。
【００１３】
またデジタルサイネージ１０内には、上記通信タグからの情報を受信する通信部１０Ｂが内蔵される。
【００１４】
図１は、ここでは図示しない顧客により商品ＰＤ−Ａが持ち上げられて操作され、その操作によって、デジタルサイネージ１０のサイネージボード１０Ａにて商品Ａに関する映像コンテンツが表示されている状態を示す。
【００１５】
このときデジタルサイネージ１０と各商品ＰＤ−Ａ，ＰＤ−Ｂ，ＰＤ−Ｃは、上記Ｂｌｕｅｔｏｏｔｈ（登録商標）技術によりデジタルサイネージ１０がマスタ機、商品ＰＤ−Ａ，ＰＤ−Ｂ，ＰＤ−Ｃがそれぞれスレーブ機として、予めマッチング処理が施されているものとする。
【００１６】
図２は、上記デジタルサイネージ１０の主として電子回路の機能構成を説明する。同図中、コンテンツ記憶部１１から映像コンテンツとしての画像データが読出され、バスＢ１を介して投影画像駆動部１２に送られる。
【００１７】
上記コンテンツ記憶部１１には、各商品ＰＤ−Ａ，ＰＤ−Ｂ，ＰＤ−Ｃそれぞれの機種毎に各操作に応じた機能等に関する詳細な情報等を映像コンテンツ化、音声コンテンツ化したデータが記憶される。
【００１８】
併せてコンテンツ記憶部１１には、商品ＰＤ−Ａ，ＰＤ−Ｂ，ＰＤ−Ｃの各機種毎に、最も推奨する機能、例えばハイスピード連射機能や、特殊画調変換処理、ハイダイナミックレンジ合成処理などが登録され、当該推奨機能における機能説明のための映像コンテンツ情報が記録されているものとする。
【００１９】
上記投影画像駆動部１２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１３を表示駆動する。
【００２０】
このマイクロミラー素子１３は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２１】
一方で、光源部１４から時分割でＲ，Ｇ，Ｂの原色光が循環的に出射される。光源部１４は、半導体発光素子であるＬＥＤを有し、Ｒ，Ｇ，Ｂの原色光を時分割で繰返し出射する。光源部１４が有するＬＥＤは、広義でのＬＥＤとして、ＬＤ（半導体レーザ）や有機ＥＬ素子を含むものとしても良い。
【００２２】
また、ＬＥＤから出射された光を蛍光体に照射することで励起される、元の光とは波長が異なる原色光を用いるものとしても良い。この光源部１４からの原色光が、ミラー１５で全反射して上記マイクロミラー素子１３に照射される。
【００２３】
そして、マイクロミラー素子１３での反射光で光像が形成され、形成された光像が投影レンズ部１６を介して外部に投射される。
【００２４】
上記各回路の動作すべてをＣＰＵ１７が制御する。このＣＰＵ１７は、メインメモリ１８及びプログラムメモリ１９と直接接続される。メインメモリ１８は、例えばＳＲＡＭで構成され、ＣＰＵ１７のワークメモリとして機能する。プログラムメモリ１９は、電気的書換可能な不揮発性メモリ、例えばフラッシュＲＯＭで構成され、ＣＰＵ１７が実行する動作プログラム、その他各種定型データ等を記憶する。
【００２５】
ＣＰＵ１７は、上記プログラムメモリ１９に記憶されている動作プログラムや定型データ等を読出し、メインメモリ１８に展開して記憶させた上で当該プログラムを実行することにより、このデジタルサイネージ１０を統括して制御する。
【００２６】
上記ＣＰＵ１７は、操作部２０からの操作信号に応じて各種投影動作を実行する。この操作部２０は、デジタルサイネージ１０の本体に備える、電源キーを含むいくつかの操作キーのキー操作信号を受付け、受付けた操作に応じた信号を上記ＣＰＵ１７へ送出する。
【００２７】
上記ＣＰＵ１７はさらに、上記バスＢ１を介して音声処理部２１、通信部２２と接続される。  
音声処理部２１は、ＰＣＭ音源等の音源回路を備え、投影動作時に与えられる音声信号をアナログ化し、スピーカ部２３を駆動して放音させ、あるいは必要によりビープ音等を発生させる。
【００２８】
通信部２２は、アンテナ２４と共に上述した通信部１０Ｂを構成するもので、上記商品ＰＤ−Ａ，ＰＤ−Ｂ，ＰＤ−Ｃからの情報を受信する。
【００２９】
次に図３により、上記商品ＰＤ−Ａ，ＰＤ−Ｂ，ＰＤ−Ｃに共通したデジタルカメラとしての基本的な電子回路の概念構成を示す。
【００３０】
図３は、デジタルカメラ（ＰＤ−Ａ，ＰＤ−Ｂ，ＰＤ−Ｃ）の回路構成を示すものである。同図では、カメラ筐体の前面に配設される撮影レンズ部３１を介して、固体撮像素子、例えばＣＭＯＳイメージセンサ（ＩＳ）３２の撮像面上に被写体の光像を入射して結像させる。
【００３１】
スルー画像表示、あるいはライブビュー画像表示とも称されるモニタ状態では、このＣＭＯＳイメージセンサ３２での撮像により得た画像信号をＡＧＣ・Ａ／Ｄ変換部３３に送る。ＡＧＣ・Ａ／Ｄ変換部３３は、アナログの画像信号に対して相関二乗サンプリングや自動ゲイン調整、Ａ／Ｄ変換処理を実行してデジタル化する。このデジタル値の画像データはバスＢ２を介して画像処理部３４に送られる。
【００３２】
画像処理部３４は、画像データに対して適宜必要な画像処理を施す。すなわち画像処理部３４では、上記ＣＭＯＳイメージセンサ１２が備えるベイヤー配列のカラーフィルタの構成に応じた画像データ（以下「ＲＡＷ（生）データ」と称する）に対してデジタル現像処理、具体的には画素補間処理、ガンマ補正処理、マトリックス演算等のデモザイク処理を施すことで、輝度色差系（ＹＵＶ）の画像データに変換する。
【００３３】
画像処理部３４は、現像後の画像データから表示用に画素数及び階調ビットを大幅に減じた画像データを作成し、バスＢ２を介して表示部３５へ送る。表示部３５では、送られてきた画像データに基づいてスルー画像を表示する。
【００３４】
表示部３５は、カメラ筐体の背面側に設けられ、例えばバックライト付きのカラー液晶パネルとそのコントローラとで構成される。この表示部３５の画面上部に一体にして透明導電膜を用いたタッチ入力部３６が構成される。
【００３５】
このタッチ入力部３６でユーザが手指等で表面をタッチ操作すると、タッチ入力部３６では操作された座標位置を算出し、算出した座標信号を上記バスＢ２を介して後述するＣＰＵ４０に送出する。
【００３６】
また、上記撮影レンズ部３１と同じくカメラ筐体前面には、マイクロホン３７が配設され、被写体方向の音声が入力される。マイクロホン３７は入力した音声を電気信号化し、音声処理部３８へ出力する。
【００３７】
音声処理部３８は、音声単体での録音時、音声付き静止画像撮影時、及び動画像の撮影時にマイクロホン３７から入力する音声信号をデジタルデータ化する。さらに音声処理部３８は、デジタル化した音声データの音圧レベルを検出する一方で、該音声データを所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、後述する記録媒体へ送出する。
【００３８】
加えて音声処理部３８は、ＰＣＭ音源等の音源回路を備え、音声の再生時に送られてくる音声データファイルの圧縮を解いてアナログ化し、このカメラ筐体の背面側に設けられるスピーカ３９を駆動して、放音させる。
【００３９】
以上の回路をＣＰＵ４０が統括して制御する。このＣＰＵ４０は、メインメモリ４１、プログラムメモリ４２と直接接続される。メインメモリ４１は、例えばＳＲＡＭで構成され、ワークメモリとして機能する。プログラムメモリ４２は、例えばフラッシュメモリなどの電気的に書換可能な不揮発性メモリで構成され、各種動作プログラム、各種データ等を固定的に記憶する。
【００４０】
ＣＰＵ４０はプログラムメモリ４２から必要なプログラムやデータ等を読出し、メインメモリ４１に適宜一時的に展開して記憶させながら、このカメラ全体の制御動作を実行する。
【００４１】
さらに上記ＣＰＵ４０は、キー操作部４３から直接入力される各種キー操作信号、及び上記タッチ入力部３６からのタッチ操作に応じた座標信号に対応して制御動作を実行する。
【００４２】
キー操作部４３は、例えば電源キー、シャッタレリーズキー、ズームアップ／ダウンキー、撮影モードキー、再生モードキー、メニューキー、カーソル（「↑」「→」「↓」「←」）キー、セットキー、解除キー、ディスプレイキー等を備える。
【００４３】
ＣＰＵ４０は、バスＢ２を介して上記ＡＧＣ・Ａ／Ｄ変換部３３、画像処理部３４、表示部３５、タッチ入力部３６、及び音声処理部３８の他、さらにフラッシュ駆動部４４、イメージセンサ（ＩＳ）駆動部４５、無線通信部４６、及びメモリカードコントローラ４７と接続される。
【００４４】
フラッシュ駆動部４４は、静止画像撮影時にＣＰＵ４０からの制御信号を受けて、複数の白色高輝度ＬＥＤで構成されるフラッシュ部４８を撮影タイミングに同期して点灯駆動する。
【００４５】
イメージセンサ駆動部４５は、その時点で設定されている撮影条件等に応じて上記ＣＭＯＳイメージセンサ３２の走査駆動を行なう。
【００４６】
上記画像処理部３４は、上記キー操作部４３のシャッタレリーズキー操作に伴う画像撮影時に、ＡＧＣ・Ａ／Ｄ変換部３３から送られてくる画像データをデモザイク処理し、さらに所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルは、バスＢ２、上記メモリカードコントローラ４７を介してメモリカード４９に転送されて保存される。
【００４７】
また画像処理部３４は、再生モード時にメモリカード４９からメモリカードコントローラ４７を介して読出されてくる画像データをバスＢ２を介して受取る。画像処理部３４は、この受取った画像データを記録時とは逆の手順で圧縮を解く伸長処理により元のサイズの画像データを得、得た画像データのデータ量を減じた後にバスＢ２を介して表示部３５で表示させる。
【００４８】
無線通信部４６は、アンテナ５０を介して、上記キー操作部４３あるいはタッチ入力部３６での操作に応じた操作コードを、このカメラの機種コードと組み合わせて操作コマンドコード化して上記デジタルサイネージ１０に向けて送信する。
【００４９】
上記メモリカードコントローラ４７は、カードコネクタ５１に装着されたメモリカード４９と接続される。メモリカード４９は、このカメラに着脱自在に装着され、このカメラの記録媒体となる、画像ファイル等の記録用メモリである。メモリカード４９は、内部に不揮発性メモリであるフラッシュメモリと、その駆動回路とが設けられる。
【００５０】
次に上記実施形態の動作について説明する。  
まず、図４により上記商品ＰＤ−Ａ，ＰＤ−Ｂ，ＰＤ−Ｃ側での処理内容を示す。この処理は、商品ＰＤ−Ａ，ＰＤ−Ｂ，ＰＤ−ＣのＣＰＵ４０がプログラムメモリ４２から読出した動作プログラムをメインメモリ４１上に展開して実行するものである。
【００５１】
その処理当初にＣＰＵ４０は、キー操作部４３またはタッチ入力部３６からの操作があったか否かを繰返し実行することで、何らかの操作がなされるのを待機する（ステップＳ１０１）。
【００５２】
そして何らかの操作があったと判断した時点で、次にその操作信号とその時点での動作状態とから、デジタルカメラとしての動作上での操作された指示情報を取得する（ステップＳ１０２）。ＣＰＵ４０は、この取得した指示情報に応じて直ちに指示動作を開始するように設定する（ステップＳ１０３）。
【００５３】
この動作の開始設定と平行してＣＰＵ４０は、、その時点で上記デジタルサイネージ１０側との連携動作中であるか否かを、無線通信部４６、アンテナ５０を介してマスタ機であるデジタルサイネージ１０が認識できるか否かにより判断する（ステップＳ１０４）。
【００５４】
ここで連携動作中ではなく、マッチング処理が行われている筈のデジタルサイネージ１０側をマスタ機として認識することができないと判断した場合には、それ以上のデジタルサイネージ１０側との連携動作のための処理を中断し、次の操作に備えるべく、上記ステップＳ１０１からの処理に戻る。
【００５５】
また上記ステップＳ１０４でデジタルサイネージ１０側との連携動作中であり、マスタ機であるデジタルサイネージ１０が認識できると判断した場合。ＣＰＵ４０は送信先のデジタルサイネージ１０のコード情報を取得した上で（ステップＳ１０５）、自機の機種コードと上記ステップＳ１０２で取得した操作コードとを用いて操作コマンド情報を作成し、合わせて送信先にデジタルサイネージ１０のコード情報を指定する（ステップＳ１０６）。  
こうして作成した操作コマンド情報をデジタルサイネージ１０に向けて送信し（ステップＳ１０７）、以上で商品ＰＤ−Ａ，ＰＤ−Ｂ，ＰＤ−Ｃ側での指示操作に対するデジタルサイネージ１０へのコマンド発信の処理を一旦終了すると共に、次の操作に備えるべく、上記ステップＳ１０１からの処理に戻る。
【００５６】
次に、上記操作コマンド情報を受けるデジタルサイネージ１０側の処理について説明する。  
図５は、上記ＣＰＵ１７がプログラムメモリ１９から読出した動作プログラムをメインメモリ１８上に展開して実行する、商品ＰＤ−Ａ，ＰＤ−Ｂ，ＰＤ−Ｃからの操作コマンド情報に対する投影処理の内容を示す。
【００５７】
その処理当初にＣＰＵ１７は、上記通信部２２及びアンテナ２４からなる通信部１０Ｂを介して商品ＰＤ−Ａ，ＰＤ−Ｂ，ＰＤ−Ｃのいずれかからの操作コマンド情報を受信したか否かを繰り返し判断することで、操作コマンド情報の到来を待機する（ステップＳ２０１）。
【００５８】
そして、上記ステップＳ２０１で操作コマンド情報を受信したと判断した時点で、ＣＰＵ１７は受信した操作コマンド情報中から、送信側の機種コードと操作コードとを解析する（ステップＳ２０２）。
【００５９】
この解析結果に従い、ＣＰＵ１７は当該機種で最も推奨されている機能に対する操作であったか否かを判断する（ステップＳ２０３）。
【００６０】
ここでは、当該機種で最も推奨されている機能が、例えば撮影した画像を絵画調の画像に変換する特殊画調変換であった場合について例示する。上記ステップＳ２０３で、操作コードが当該機種で最も推奨されている機能を指示する操作のものであったと判断した場合、ＣＰＵ１７はその推奨機能による特殊画調変換での撮影例としての画像データをコンテンツ記憶部１１から読出して投影画像駆動部１２へ送り、対応する光像をマイクロミラー素子１３で作成して投影レンズ部１６により上記サイネージボード１０Ａに投影させる（ステップＳ２０４）。
【００６１】
その後さらにＣＰＵ１７は、ＣＰＵ１７から読出す動画像データにより、当該機種で最も推奨する機能の説明として、特殊画調変換の撮影機能の説明をデモンストレーション画像などと共に一定時間投影する（ステップＳ２０５）。
【００６２】
またこのときＣＰＵ１７は、同様の推奨機能を有する他機種での操作が一定時間、例えば６０［秒］以内にあったか否かを判断し、あったと判断した場合には、それら複数機種による同様の推奨機能の比較を行なう映像コンテンツ情報を作成して投影させるようにしても良い。
【００６３】
上記ステップＳ２０５での投影動作を一定時間行なった後、ＣＰＵ１７は次の商品ＰＤ−Ａ，ＰＤ−Ｂ，ＰＤ−Ｃでの操作に備えるべく、投影動作を一旦終了させた上で、再び上記ステップＳ２０１の待機処理に戻る。
【００６４】
また上記ステップＳ２０３で操作された内容が、当該機種で最も推奨されている機能に対する操作ではなかったと判断した場合、次にＣＰＵ１７は、操作された内容が撮影モードの選択やシャッタレリーズキー操作による撮影自体あるいはその他、予め操作に対応する映像コンテンツが登録済みの操作であったか否かを判断する（ステップＳ２０６）。
【００６５】
ここで予め操作に対応する映像コンテンツが登録済みの操作ではなかったと判断した場合には、投影すべき映像コンテンツがコンテンツ記憶部１１に存在しないため、次の商品ＰＤ−Ａ，ＰＤ−Ｂ，ＰＤ−Ｃでの操作に備えるべく、再び上記ステップＳ２０１の待機処理に戻る。
【００６６】
また上記ステップＳ２０６で予め操作に対応する映像コンテンツが登録済みの操作であったと判断した場合、ＣＰＵ１７は次に具体的な撮影時や所定条件の選別を行なうことで、投影すべき映像コンテンツを選定する（ステップＳ２０７）。
【００６７】
ここでは、例えば「接写撮影」「本体を動かしながら撮影」「動く被写体を撮影」‥‥「ズーム撮影」のケースについて映像コンテンツが登録されているものとして、その選定を行なうものとする。
【００６８】
上記ステップＳ２０７で「接写撮影」を選定したと判断した場合、ＣＰＵ１７はコンテンツ記憶部１１から当該商品のマクロ撮影に関する詳細な広告用の映像コンテンツを読出して投影画像駆動部１２へ送り、対応する光像をマイクロミラー素子１３で作成して投影レンズ部１６により上記サイネージボード１０Ａで一定時間投影させた後（ステップＳ２０８）、次の操作に備えて再び上記ステップＳ２０１の待機処理に戻る。
【００６９】
また上記ステップＳ２０７で「本体を動かしながら撮影」を選定したと判断した場合、ＣＰＵ１７はコンテンツ記憶部１１から当該商品の手振れ補正機能に関する詳細な広告用の映像コンテンツを読出して投影画像駆動部１２へ送り、対応する光像をマイクロミラー素子１３で作成して投影レンズ部１６により上記サイネージボード１０Ａで一定時間投影させた後（ステップＳ２０９）、次の操作に備えて再び上記ステップＳ２０１の待機処理に戻る。
【００７０】
また上記ステップＳ２０７で「動く被写体を撮影」を選定したと判断した場合、ＣＰＵ１７はコンテンツ記憶部１１から当該商品の動く被写体（動物や子ども、乗り物など）の撮影補正機能に関する詳細な広告用の映像コンテンツを読出して投影画像駆動部１２へ送り、対応する光像をマイクロミラー素子１３で作成して投影レンズ部１６により上記サイネージボード１０Ａで一定時間投影させた後（ステップＳ２１０）、次の操作に備えて再び上記ステップＳ２０１の待機処理に戻る。
【００７１】
さらに上記ステップＳ２０７で「ズーム撮影」を選定したと判断した場合、ＣＰＵ１７はコンテンツ記憶部１１から当該商品のズーム機能に関する詳細な広告用の映像コンテンツを読出して投影画像駆動部１２へ送り、対応する光像をマイクロミラー素子１３で作成して投影レンズ部１６により上記サイネージボード１０Ａで一定時間投影させた後（ステップＳ２１１）、次の操作に備えて再び上記ステップＳ２０１の待機処理に戻る。
【００７２】
なお上記ステップＳ２０７で撮影時や所定条件の指定がないと判断した場合、ＣＰＵ１７はコンテンツ記憶部１１から当該商品の機種の基本広告用の映像コンテンツを読出して投影画像駆動部１２へ送り、対応する光像をマイクロミラー素子１３で作成して投影レンズ部１６により上記サイネージボード１０Ａで一定時間投影させた後（ステップＳ２１２）、次の操作に備えて再び上記ステップＳ２０１の待機処理に戻る。
【００７３】
以上詳述した如く本実施形態によれば、商品ＰＤ−Ａ，ＰＤ−Ｂ，ＰＤ−Ｃへの操作に即して多様性に富んだ映像コンテンツを出力させることが可能となる。
【００７４】
また上記実施形態では、複数の商品に対応してコンテンツ記憶部１１に対応する映像コンテンツを記憶し、当該商品から送られてきたコマンド情報中の機種コードに応じて、商品の判別を行なうようにしたため、複数機種の商品が混在して展示されているような環境下でも、祖笹立体商品の機種に応じて適切な映像コンテンツを出力することができる。
【００７５】
さらに本実施形態では、当該機種で最も推奨されている機能に対する操作があった場合に、上記機能を説明する映像コンテンツ、及び上記機能に関する他機種の商品と比較する映像コンテンツの少なくとも一方を出力するものとしたので、より広告効果を高めることができる。
【００７６】
なお上記実施形態では、各商品で操作された内容について映像コンテンツを出力する場合について説明したが、あえて実際に操作されている内容とは異なる機能、例えばその機種固有の推奨する機能等を操作されている機能と関連付けた映像コンテンツを出力するようにしても良い。
【００７７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００７８】
以下に、本願出願の当初の特許請求の範囲に記載された発明を付記する。  
請求項１記載の発明は、商品に対する操作を検出する検出手段、上記検出手段での検出結果を送信する送信手段を備えた検出装置と、映像コンテンツを出力するコンテンツ出力手段、上記検出装置の送信手段からの検出結果を受信する受信手段、上記受信手段で受信した検出結果に基づいて映像コンテンツを上記コンテンツ出力手段で出力させるコンテンツ出力制御手段を備えたコンテンツ出力装置とを具備したことを特徴とする。
【００７９】
請求項２記載の発明は、上記請求項１記載の発明において、上記コンテンツ出力装置は、上記商品での複数の操作に対応した映像コンテンツを記憶した記憶手段をさらに備え、上記コンテンツ出力制御手段は、上記受信手段で受信した検出結果に基づいて上記記憶手段から対応する映像コンテンツを読出し、上記コンテンツ出力手段で出力させることを特徴とする。
【００８０】
請求項３記載の発明は、上記請求項２記載の発明において、上記検出装置の送信手段は、複数の商品に対してそれぞれ設けられ、商品の機種の情報と合わせて検出手段での検出結果を送信し、上記コンテンツ出力装置の記憶手段は、複数の上記商品での複数の操作に対応した映像コンテンツを記憶し、上記コンテンツ出力制御手段は、上記受信手段で受信した検出結果に基づいて上記記憶手段から商品と操作に対応する映像コンテンツを読出し、上記コンテンツ出力手段で出力させることを特徴とする。
【００８１】
請求項４記載の発明は、上記請求項２または３記載の発明において、上記記憶手段は、上記商品で推奨するものとして設定された機能の操作に対応して、上記機能を説明する映像コンテンツ、及び上記機能に関する他機種の商品と比較する映像コンテンツの少なくとも一方を記憶することを特徴とする。
【００８２】
請求項５記載の発明は、装置外部から商品の操作に関する検出情報を受信する受信手段と、映像コンテンツを出力するコンテンツ出力手段と、上記受信手段で受信した検出情報に基づいて映像コンテンツを上記コンテンツ出力手段で出力させるコンテンツ出力制御手段とを備えたことを特徴とする。
【００８３】
請求項６記載の発明は、映像コンテンツを出力するコンテンツ出力部を備えた装置でのコンテンツ出力方法であって、装置外部から商品の操作に関する検出情報を受信する受信工程と、上記受信工程で受信した検出情報に基づいて映像コンテンツを上記コンテンツ出力部で出力させるコンテンツ出力制御工程とを有したことを特徴とする。
【００８４】
請求項７記載の発明は、映像コンテンツを出力するコンテンツ出力部を備えた装置が内蔵するコンピュータが実行するプログラムであって、上記コンピュータを、装置外部から商品の操作に関する検出情報を受信する受信手段、及び上記受信手段で受信した検出情報に基づいて映像コンテンツを上記コンテンツ出力部で出力させるコンテンツ出力制御手段として機能させることを特徴とする。
【符号の説明】
【００８５】
１０…デジタルサイネージ、１０Ａ…サイネージボード、１０Ｂ…通信部、１１…コンテンツ記憶部、１２…投影画像駆動部、１３…マイクロミラー素子、１４…光源部、１５…ミラー、１６…投影レンズ部、１７…ＣＰＵ、１８…メインメモリ、１９…プログラムメモリ、２０…操作部、２１…音声処理部、２２…通信部、２３…スピーカ部、２４…アンテナ、３１…撮影レンズ部、３２…ＣＭＯＳイメージセンサ（ＩＳ）、３３…ＡＧＣ・Ａ／Ｄ変換部、３４…画像処理部、３５…表示部、３６…タッチ入力部、３７…マイクロホン、３８…音声処理部、３９…スピーカ、４０…ＣＰＵ４０、４１…メインメモリ、４２…プログラムメモリ、４３…キー操作部、４４…フラッシュ駆動部、４５…イメージセンサ（ＩＳ）駆動部、４６…無線通信部、４７…メモリカードコントローラ、４８…フラッシュ部、４９…メモリカード、５０…アンテナ、５１…カードコネクタ、Ｂ１，Ｂ２…バス、ＰＤ−Ａ，ＰＤ−Ｂ，ＰＤ−Ｃ…商品（ｅｘ．デジタルカメラ）。
【図１】
2015118312.tif 000003
【図２】
2015118312.tif 000004
【図３】
2015118312.tif 000005
【図４】
2015118312.tif 000006
【図５】
2015118312.tif 000007